(57)【特許請求の範囲】
【請求項１】
上下方向に長い把持部に二本の球状体支軸部を先端側間隔が広い八字状を成すようにしてこの把持部の長さ方向と直交する前方に向けて突設すると共に、この二本の球状体支軸部を前記把持部に対してこの把持部の長さ方向となる上下方向に回動自在に設けて、前記把持部と前記球状体支軸部との成す角度を可変自在に構成し、この二本の球状体支軸部の先端部に、顔や身体に当ててマッサージする球状体を並設状態に夫々軸着して、この二個の球状体を、対向間隔を有する並設状態で夫々、前記球状体支軸部に対して回転自在に設けた構成とし、この球状体を回転自在に設けた前記球状体支軸部の上下回動動作を固定する回動動作固定部を固定解除自在に設けて該球状体の回転軸となる前記球状体支軸部と前記把持部との成す角度を調整自在に構成したことを特徴とする手動マッサージ器具。
【請求項２】
前記球状体は、ルビーパウダーを含有することを特徴とする請求項１記載の手動マッサージ器具。
【請求項３】
前記球状体は、マイナスイオンパウダーを含有することを特徴とする請求項１，２のいずれか１項に記載の手動マッサージ器具。
【請求項４】
前記球状体は、磁性体を含有することを特徴とする請求項１〜３のいずれか１項に記載の手動マッサージ器具。
【発明の詳細な説明】
【技術分野】
【０００１】
本発明は、顔や手足など身体をマッサージするための手動マッサージ器具に関するものである。
【背景技術】
【０００２】
従来、使用者が自分の手で把持して顔や身体などのマッサージしたい部分にローラーを当て、このローラーを肌上で転がしたり肌に押し当てたりして、肌に刺激を与えて活性化させ肌の美容と健康を維持する目的で使用される手動マッサージ器具が各種提案されており、例えば、把持部の軸方向と同一方向に設けられた軸にローラーを軸着したタイプや、把持部からローラーを突出状態に設けたタイプなどがあり、また、肌に当接させ刺激を与えるローラー形状も、円柱状に限らず、球体状や突起を有する形状など多種多様な手動マッサージ器具が提案されている。
【先行技術文献】
【特許文献】
【０００３】
【特許文献１】実用新案登録第３１５４３６６号公報
【特許文献２】特開２０００−２４０６５号公報
【発明の概要】
【発明が解決しようとする課題】
【０００４】
これら従来の手動マッサージ器具は、把持部に対するローラーの肌への当接面は固定された状態である。しかし、この手動マッサージ器具を用いたマッサージは、ローラーをマッサージしたい部位に対して上下方向、左右方向、更には斜め方向など様々な方向に移動させながら刺激を与えるマッサージ方法であるため、この従来の手動マッサージ器具では、ローラーをマッサージしたい部位に適正な状態で当接させるには、把持部を持っているほうの手首を折り曲げたり肘を上げたりしてローラーの当接角度を調整する必要があり、このように手首を曲げたり肘を上げた状態でマッサージすることで、使用者の把持部を持つ手には負担が掛かり、非常に使い勝手の良いものではなかった。
【０００５】
加えて、この手動マッサージ器具は、マッサージしたい部分に対して何度もローラーを往復させて同じ部分に繰り返し刺激を与えるようにしてマッサージするものであり、例えば、一カ所のマッサージで数十秒〜数分間のマッサージを行うこともあるが、持ち手に負担が掛かる状態では、長時間のマッサージは手首や腕に苦痛を与えることとなり、よって、持ち手に負担の掛かる体勢を強いられる部位に対しては、長時間マッサージを行うことができず、十分なマッサージを行うことができないという問題もあった。
【０００６】
本発明は、上述した問題点を改善し、使用者の把持部を持つ手に負担が掛からない楽な体勢でマッサージを行うことができ、どんな部位でも長時間マッサージすることができ、確実なマッサージ効果を得ることができる実用的な手動マッサージ器具を提供することを目的とする。
【課題を解決するための手段】
【０００７】
添付図面を参照して本発明の要旨を説明する。
【０００８】
上下方向に長い把持部１に二本の球状体支軸部２を先端側間隔が広い八字状を成すようにしてこの把持部１の長さ方向と直交する前方に向けて突設すると共に、この二本の球状体支軸部２を前記把持部１に対してこの把持部１の長さ方向となる上下方向に回動自在に設けて、前記把持部１と前記球状体支軸部２との成す角度を可変自在に構成し、この二本の球状体支軸部２の先端部に、顔や身体に当ててマッサージする球状体３を並設状態に夫々軸着して、この二個の球状体３を、対向間隔を有する並設状態で夫々、前記球状体支軸部２に対して回転自在に設けた構成とし、この球状体３を回転自在に設けた前記球状体支軸部２の上下回動動作を固定する回動動作固定部４を固定解除自在に設けて該球状体３の回転軸となる前記球状体支軸部２と前記把持部１との成す角度を調整自在に構成したことを特徴とする手動マッサージ器具に係るものである。
【０００９】
また、前記球状体３は、ルビーパウダーを含有することを特徴とする請求項１記載の手動マッサージ器具に係るものである。
【００１０】
また、前記球状体３は、マイナスイオンパウダーを含有することを特徴とする請求項１，２のいずれか１項に記載の手動マッサージ器具に係るものである。
【００１１】
また、前記球状体３は、磁性体を含有することを特徴とする請求項１〜３のいずれか１項に記載の手動マッサージ器具に係るものである。
【発明の効果】
【００１２】
本発明は上述のように構成したから、人の手で肌を挟み込むように二個の球状体が肌を挟み込んで肌を持ち上げるようにマッサージするので、従来品に比して、より高いマッサージ効果が期待できる。
【００１３】
しかも、使用者の持ち手（例えば肘や手首など）に負担を掛けることなく楽な体勢で把持部を持ちながらマッサージできるので、ストレスを感じることなく適正な力でマッサージをし続けることができ、極めて使い勝手の良い実用性に優れた手動マッサージ器具となる。
【００１４】
即ち、従来は、マッサージ方向、即ち、球状体を移動させる方向となる上下方向、左右方向、或いは、斜め方向などの様々な移動方向に移動させる際、使用者はマッサージ部位に球状体を最適な状態で当接させるために、持ち手を曲げたり肘を上げたりするなどの窮屈な体勢をしていたが、本発明は、把持部に対して球状体を回動させてマッサージする部位に最適な状態で当接するように球状体の位置を調整するだけで、持ち手は、把持部を垂直にした状態で把持する一番楽な姿勢で把持してマッサージを行うことができるので、使用者の持ち手（例えば肘や手首など）には、負担を掛けることなく極めて楽な体勢で把持部を持ちながらマッサージでき、更に、持ち手の状態が変わらないので、常に適正な力でマッサージをし続けることができ、極めて使い勝手の良い実用性に優れた手動マッサージ器具となる。
【００１５】
また、本発明は、二個の球状体を先端側間隔が広いハ字状を成すように把持部に突設したので、より一層的確に二個の球状体で肌を挟み込み、挟み込んだ肌を移動方向に持ち上げることができ、より人の手で行うマッサージに近い効果的なマッサージを行うことができる実用性に優れた手動マッサージ器具となる。
【００１６】
また、請求項２記載の発明においては、ルビーパウダーから放射される遠赤外線の効果により皮膚の繊維芽細胞や成長因子タンパク質を含む細胞領域が活性化され代謝が促進される。更に、ルビーパウダーには、抗酸化作用もあり、この抗酸化作用によって、肌を酸化させる活性酸素を除去することができ、細胞の酸化が防止されることで、肌の老化を防ぎ弾力性が維持された若々しい肌を保つことができる実用性に優れた手動マッサージ器具となる。
【００１７】
また、請求項３記載の発明においては、肌の細胞の活性化が促進され、より一層の美肌効果が期待できる実用性に優れた手動マッサージ器具となる。
【００１８】
また、請求項４記載の発明においては、磁性体によって生理活性物質領域に作用し、身体の細胞内に共鳴吸収現象を与えることで、血流が良くなり、例えば、顔に使用した場合は、顔の筋肉の硬直（肩こりなど）を和らげて顔のリフトアップに寄与する、より高いマッサージ効果を付与する手動マッサージ器具となる。
【図面の簡単な説明】
【００１９】
【図１】本実施例を示す斜視図である。
【図２】本実施例を示す説明側断面図である。
【図３】本実施例を示す説明平断面図である。
【発明を実施するための形態】
【００２０】
好適と考える本発明の実施形態を、図面に基づいて本発明の作用を示して簡単に説明する。
【００２１】
本発明は、把持部１に突出状態に設けた二個の球状体３をマッサージしたい部分に押し当てて移動させることで、二個の球状体３が皮膚を挟み込んで移動方向に肌を持ち上げるようにマッサージする。即ち、人が手のひらで肌を持ち上げながらマッサージする感覚と同等の効果が得られるので、肌の美容と健康の維持に効果的なマッサージを極めて容易に行うことができる。
【００２２】
しかも、従来の手動マッサージ器具を用いてマッサージする際、例えば、顔の顎のラインの上側をマッサージする場合は、把持部１を略垂直状態で把持して上下方向に移動させるのでこの把持部１を持つ手は負担がかかる体勢とならず楽に持つことができるが、顎の下側をマッサージする場合は、把持部１が垂直状態のままではローラーを当てることができないので、ローラーの接触面が顎の下部に適正な状態で当たるように、手首を折り曲げたり肘を上げたりする負担の掛かる体勢で把持部１の向きを変えながら左右方向に移動させるため、この把持部１を持つ手（手首や肘など）がすぐに疲れてしまい、長時間マッサージを続けることができないが、本発明は、球状体３を把持部１に対して上下回動自在に設け、この球状体３の上下回動動作を固定する回動動作固定部４を固定解除自在に設けてこの球状体３の上下回動角度を調整自在に設けた構成としたので、把持部１に対する球状体３の角度を持ち手が楽な体勢となるように調整することができるので、持ち手の手首や肘などに負担を掛けることなく楽にマッサージができ、長時間マッサージしても持ち手が疲れず、また、楽な体勢で操作し易いため、使用者もマッサージする力加減を適正な力加減に容易に調整できるので、より一層のマッサージ効果を期待できる実用性に優れた手動マッサージ器具となる。
【００２３】
また、二本の球状体支軸部２を、把持部１に基端側間隔よりも先端側間隔が広い八字状に突設し、この八字状に突設した二本の球状体支軸部２の夫々の先端部に球状体３を軸着した構成とすれば、球状体支軸部２が把持部１の厚み方向に対して末広がる傾斜状態に設けられ顎のラインなど顔や身体の凸部にフィットし易くなり、より二個の球状体３でマッサージ部位を挟み易くなると共に、傾斜状態に設けた球状体支軸部２に軸着した球状体３もこの球状体３の移動方向とこの球状体３の回転方向とに若干のズレが生ずることで球状体３の移動に程度な抵抗が生じ、より皮膚を押し上げる（押し下げる）効果が増し、より高いマッサージ効果を得ることができる実用性に優れた手動マッサージ器具となる。
【実施例】
【００２４】
本発明の具体的な実施例について図面に基づいて説明する。
【００２５】
本実施例は、把持部１に二本の球状体支軸部２を突出状態に設け、この二本の球状体支軸部２の夫々に顔や身体に当ててマッサージする球状体３を、間隔を有する並設状態にして夫々回転自在に設けた構成とし、この球状体３を設けた二本の球状体支軸部２を把持部１の前方に向けて突設すると共に上下方向に回動自在に設けて、この球状体３を把持部１に対して上下回動自在に設けた構成とし、この球状体３の上下回動動作を固定する回動動作固定部４を固定解除自在に設けて球状体３の上下回動角度を調整自在に設けた手動マッサージ器具である。
【００２６】
具体的には、図１に示すように、把持部１は、軸方向に長い円柱状に形成し、この把持部１の上端部に鉛直方向に突設した対向する軸受腕部５を設け、この軸受腕部５に回動部６を上下回動自在に設けた構成としている。
【００２７】
より具体的には、把持部１に対向状態に突設した軸受腕部５は、板状に形成して正面視コ字状に形成し、夫々に後述する回動部６を軸支する回動軸７を貫通配設し得る貫通孔８を設け、更に、この軸受腕部５に上下方向に回動自在に設けた回動部６と当接し回動部６の回動移動範囲を制限する回動制限部９を設けた構成としている。
【００２８】
また、この回動制限部９は、回動部６の回動軌跡上に配設し、また、図２に示すように、軸受腕部５の奥行き方向に傾斜する傾斜面を有する構成としている。
【００２９】
また更に、この軸受腕部５の一方に、この軸受腕部５に上下回動自在に設けた回動部６の回動動作を固定する回動動作固定部４を設けた構成としている。
【００３０】
本実施例では、回動部６の回動動作を固定する手段として回動部６を一方側に押圧して押圧方向に位置する軸受腕部５と圧接状態となり摩擦抵抗が増大することによって回動不能状態にして固定する手段を用いている。
【００３１】
具体的には、回動動作固定部４を雄螺子で構成し、この雄螺子で構成した回動動作固定部４を軸受腕部５の一方側に設けた雌螺子部を設け、この雌螺子部に回動動作固定部４を螺入することで、この回動動作固定部４が回動部６を押圧し、押圧された回動部６とこの押圧された回動部６を受け止める他方側の軸受腕部５との接触抵抗が増大して回動抵抗が増大することでこの回動部６を回動不能状態にし、この回動部６の回動位置を所望の位置で固定することができるように構成している。
【００３２】
また、回動部６は、ブロック状に形成し、対向する軸受腕部５間に嵌合し得るブロック形状に形成し、このブロック状の回動部６に、この回動部６を軸支する回動軸７を貫通する貫通孔10と、後述する球状体支軸部２を嵌入配設する支軸嵌合孔11を設けた構成としている。
【００３３】
この貫通孔10は、この回動部６を軸受腕部５に配設した際に、軸受腕部５に設けた貫通孔８と連通状態となる位置に穿設している。
【００３４】
また、支軸嵌合孔11は、回動部６の左右夫々の肩部12からこの回動部の中心部に向かって傾斜状に穿設した傾斜孔に構成し、この支軸嵌合孔11に二本の球状体支軸部２を挿入配設した際に、この二本の球状体支軸部２が成す夾角の角度が所定の角度（本実施例では、６０°）となるように構成している。
【００３５】
また、本実施例では、この把持部１の軸受腕部５に上下方向に回動自在に設けた回動部６に二本の球状体支軸部２を突設し、この二本の球状体支軸部２の夫々の先端部に球状体３を回転自在に設けて、この球状体３を上下回動自在に設けた構成としている。
【００３６】
具体的には、図３に示すように、二本の球状体支軸部２は、金属製の棒状体からなり、球状体３を軸支する軸支部２ａと回動部６に設けた支軸嵌合孔11に挿入配設する挿入部２ｂとで構成している。
【００３７】
また、挿入部２ｂの径大を軸支部２ａよりも小径に設定して軸支部２ａと挿入部２ｂとの境界に段差部２ｃを設けた構成とし、この球状体支軸部２を支軸嵌合孔11に挿入配設する際に、この段差部２ｃが支軸嵌合孔11の開口縁部である回動部６と当接してこれ以上の挿入が不能となり、挿入し過ぎで球状体支軸部２に設けた球状体３が回動部６に当接してしまうこともなく、単に球状体支軸部２を挿入不能となる位置まで挿入するだけで球状体３を適正な位置に配設し得る構成としている。
【００３８】
また、この二本の球状体支軸部２は、回動部６の左右夫々の肩部12からこの回動部の中心部に向かって傾斜状に穿設した支軸嵌合孔11に挿入配設して、把持部１に回動自在に設けた回動部６に基端側間隔よりも先端側間隔が広い八字状に突設した構成としている。
【００３９】
具体的には、二本の球状体支軸部２は、把持部１の前面方向に向けて、この把持部１に回動自在に設けた回動部６の左右肩部12に末広がり状態に突設した構成とし、本実施例では、この二本の球状体支軸部２の末広がり角度（二本の球状体支軸部２が成す夾角）が約６０°となるように設定している。
【００４０】
尚、この二本の球状体支軸部２の末広がり角度は、上記した６０°に限定されるものではなく、本実施例の作用効果を発揮する角度であれば、適宜採用するものとする。
【００４１】
また、この球状体支軸部２に回転自在に設けられる球状体３は、ルビーパウダー、マイナスイオンパウダー、磁性体、ポリイミドからなり、具体的には、磁性体であるフェライトを主成分とし、これにルビーパウダーとマイナスイオンパウダーとしての酸化ジルコニウムとモナザイトとを混ぜ、これにポリイミドを混ぜ合わせて固め、直径約３０ｍｍの球体に形成している。
【００４２】
また、本実施例では、この球状体３の内部に上述した球状体支軸部２の軸支部２ａと嵌合する軸受部を設けた構成とし、この軸受部と球状体支軸部２の軸支部２ａとを嵌合して、この球状体３を球状体支軸部２に回転自在に設けた構成としている。
【００４３】
この軸受部の軸受け構造は、ボールベアリングやローラーベアリングといった転がり軸受構造、油軸受や空気軸受といったすべり軸受け構造、或いは、磁気軸受構造が適しており、本実施例においては、この軸受部として、設計実現が容易で安価な転がり軸受（ボールベアリング）を採用した構成としている。
【００４４】
このように、本実施例は、ローラー形状を従来のように円柱状とせず、ローラーを球状体３としたことで、この球状体３のどこの部分で肌と接触しても肌との接触状態が変わらず、常に同じマッサージ効果をもたらすことができ、また、滑らかに移動し肌を傷める心配もない実用的な手動マッサージ器具となる。
【００４５】
また、この球状体３に含まれるルビーパウダーは、人の肌の温度に近い３５℃〜３７℃の温度帯で遠赤外線を多く放射する特徴があり、この遠赤外線の効果により皮膚の繊維芽細胞や成長因子タンパク質を含む細胞領域が活性化され代謝を促進する効果をもたらす。
【００４６】
更に、このルビーパウダーには抗酸化作用もあり、活性酸素の除去能により、細胞の酸化を防ぎ、肌の老化を防止する効果も期待できる。
【００４７】
また、マイナスイオンパウダーは、細胞の活性化を促進する作用がある。
【００４８】
また、磁性体は、生理活性物質領域に作用し、細胞内に共鳴吸収現象を与え、血流の改善を促進し、筋肉のこり（硬直）を和らげる効果をもたらす。
【００４９】
具体的には、本実施例に用いる磁性体（フェライト）は、磁束密度１８０ｍＴのものを採用し、マイナスイオン値で２０００ｉｏｎｓ／ｃｍ３を発生する。
【００５０】
このように、本実施例の球状体３は、単に肌を押圧して刺激を与えるだけでなく、上記に示したような様々な有用な効果が球状体３から発せられ、押圧により刺激とこれらの相乗効果により、肌の美容と健康の維持により一層の効果をもたらすように構成している。
【００５１】
尚、本実施例では、球状体３にルビーパウダー、マイナスイオンパウダー、磁性体の全てを含有させた構成としているが、これらのうちの１つ、或いは、任意の組み合わせで含有させた構成としても良い。
【００５２】
尚、本発明は、本実施例に限られるものではなく、各構成要件の具体的構成は適宜設計し得るものである。
【符号の説明】
【００５３】
１  把持部
２  球状体支軸部
３  球状体
４  回動動作固定部
【図１】
0005351937.tif 000002
【図２】
0005351937.tif 000003
【図３】
0005351937.tif 000004